【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
高効率ビデオコード化（ＨＥＶＣ）規格及び前記規格の拡張の少なくとも一方に従ってビデオデータを復号する方法であって、前記方法は、
ビットストリームのビデオパラメータセット（ＶＰＳ）に基づいて、前記ビットストリームに含まれる時間サブレイヤの最大数を示す第１のシンタックス要素のための値を復号することと、
仮想参照デコーダ（ＨＲＤ）パラメータがコード化されるビットストリームの時間サブレイヤの数を示す第２のシンタックス要素のための値を復号することと、ここにおいて、前記値は、前記ＨＲＤパラメータがコード化される時間サブレイヤの前記数が、前記第１のシンタックス要素によって示される時間サブレイヤの前記最大数よりも小さいことを示す、
前記第２のシンタックス要素のための前記値によって示される時間サブレイヤの前記数の各時間サブレイヤのためにＨＲＤパラメータのセットを表すインデックスを復号することと、
前記ビットストリームの符号化ピクチャを復号することと、
復号ピクチャバッファ（ＤＰＢ）に復号ピクチャを記憶することと、
前記ＨＲＤパラメータに従って前記ＤＰＢから前記復号ピクチャを削除することと、
によって、前記ＨＲＤパラメータを使用して前記ビットストリームを処理することと
を備える方法。
【請求項２】
高効率ビデオコード化（ＨＥＶＣ）規格及び前記規格の拡張の少なくとも一方に従ってビデオデータを符号化する方法であって、前記方法は、
ビットストリームのビデオパラメータセット（ＶＰＳ）において、前記ビットストリームに含まれる時間サブレイヤの最大数を示す第１のシンタックス要素のための値を符号化することと、
仮想参照デコーダ（ＨＲＤ）パラメータがコード化されるビットストリームの時間サブレイヤの数を示す第２のシンタックス要素のための値を符号化することと、ここにおいて、前記値は、前記ＨＲＤパラメータがコード化される時間サブレイヤの前記数が、前記第１のシンタックス要素によって示される時間サブレイヤの前記最大数よりも小さいことを示す、
前記第２のシンタックス要素のための前記値によって示される時間サブレイヤの前記数の各時間サブレイヤのためにＨＲＤパラメータのセットを表すインデックスを符号化することと、
前記ビットストリームの符号化ピクチャを形成するためにピクチャを符号化することと、
前記ビットストリームの前記符号化ピクチャを復号することと、
復号ピクチャバッファ（ＤＰＢ）に復号ピクチャを記憶することと、
前記ＨＲＤパラメータに従って前記ＤＰＢから前記復号ピクチャを削除することと、
によって、前記ＨＲＤパラメータを使用して前記ビットストリームを処理することと
を備える方法。
【請求項３】
前記ビットストリームが、複数のＨＲＤ＿ｐａｒａｍｅｔｅｒｓ（）シンタックス構造を備え、前記第２のシンタックス要素のための前記値を復号することが、前記複数のＨＲＤ＿ｐａｒａｍｅｔｅｒ（）シンタックス構造のｉ番目のＨＲＤ＿ｐａｒａｍｅｔｅｒ（）シンタックス構造のためのｎｕｍ＿ｓｕｂ＿ｌａｙｅｒ＿ｈｒｄ＿ｍｉｎｕｓ１［ｉ］シンタックス要素のための値を復号することを備え、ここにおいて、ｉが整数値である、請求項１に記載の方法、又は、
前記ビットストリームが、複数のＨＲＤ＿ｐａｒａｍｅｔｅｒｓ（）シンタックス構造を備え、前記第２のシンタックス要素のための前記値を復号することが、前記複数のＨＲＤ＿ｐａｒａｍｅｔｅｒ（）シンタックス構造のｉ番目のＨＲＤ＿ｐａｒａｍｅｔｅｒ（）シンタックス構造のためのｎｕｍ＿ｓｕｂ＿ｌａｙｅｒ＿ｈｒｄ＿ｍｉｎｕｓ１［ｉ］シンタックス要素のための値を復号することを備え、ここにおいて、ｉが整数値である、請求項２に記載の方法。
【請求項４】
前記ＨＲＤパラメータを復号することは、前記ＨＲＤパラメータがコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数を復号することを備える、請求項１に記載の方法、又は、
前記ＨＲＤパラメータを符号化することは、前記ＨＲＤパラメータがコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数を符号化することを備える、請求項２に記載の方法。
【請求項５】
少なくとも、出力順序における連続するピクチャのＨＲＤ出力時間間の前記時間距離が制約されるかどうかを示す前記シンタックス要素が、ｆｉｘｅｄ＿ｐｉｃ＿ｒａｔｅ＿ｇｅｎｅｒａｌ＿ｆｌａｇ［］シンタックス要素又はｆｉｘｅｄ＿ｐｉｃ＿ｒａｔｅ＿ｗｉｔｈｉｎ＿ＣＶＳ＿ｆｌａｇ［］シンタックス要素のうちの少なくとも１つを備える、請求項４に記載の方法。
【請求項６】
前記ＨＲＤパラメータを復号することが、前記時間サブレイヤのうちの対応する１つのための連続するピクチャのＨＲＤ出力時間を指定する要素ユニット間のクロックティックにおける時間距離又は前記時間サブレイヤのうちの前記対応する１つのＨＲＤ動作モードのうちの１つ以上を示す１つ以上のシンタックス要素を復号することを備える、請求項１に記載の方法、又は、
前記ＨＲＤパラメータを符号化することが、前記時間サブレイヤのうちの対応する１つのための連続するピクチャのＨＲＤ出力時間を指定する要素ユニット間のクロックティックにおける時間距離又は前記時間サブレイヤのうちの前記対応する１つのＨＲＤ動作モードのうちの１つ以上を示す１つ以上のシンタックス要素を符号化することを備える、請求項２に記載の方法。
【請求項７】
連続するピクチャのＨＲＤ出力時間を指定する要素ユニット間のクロックティックにおける時間距離を示す前記シンタックス要素が、ｅｌｅｍｅｎｔａｌ＿ｄｕｒａｔｉｏｎ＿ｉｎ＿ｔｃ＿ｍｉｎｕｓ１［］シンタックス要素を備え、ＨＲＤ動作モードを示す前記シンタックス要素が、ｌｏｗ＿ｄｅｌａｙ＿ｈｒｄ＿ｆｌａｇ［］シンタックス要素を備える、請求項６に記載の方法。
【請求項８】
ビデオコード化レイヤ（ＶＣＬ）ＨＲＤパラメータのうちの少なくとも１つが前記ビットストリーム中でコード化されるとき又はＶＣＬ  ＨＲＤ動作のためのバッファリング期間情報が前記ビットストリーム中で必要とされると決定されたときのみ、ビットストリームパーティション初期到着時間補足強化情報（ＳＥＩ）メッセージの初期到着遅延シンタックス要素を復号することを更に備える、請求項１に記載の方法、又は、
ビデオコード化レイヤ（ＶＣＬ）ＨＲＤパラメータのうちの少なくとも１つが前記ビットストリーム中でコード化されるとき又はＶＣＬ  ＨＲＤ動作のためのバッファリング期間情報が前記ビットストリーム中で必要とされると決定されたときのみ、ビットストリームパーティション初期到着時間補足強化情報（ＳＥＩ）メッセージの初期到着遅延シンタックス要素を符号化することを更に備える、請求項２に記載の方法、
ここにおいて、前記ビットストリームのレイヤは、区分方式に従って２つ以上のビットストリームパーティションに、各ビットストリームパーティションが１つ又は複数のレイヤを含むように、分割される。
【請求項９】
前記ビットストリームのためのＶｃｌＨｒｄＢｐＰｒｅｓｅｎｔＦｌａｇが真の値を有すると決定したことのみに応答して、ビットストリームパーティション初期到着時間補足強化情報（ＳＥＩ）メッセージの初期到着遅延シンタックス要素を復号することを更に備える、請求項１に記載の方法、又は、
前記ビットストリームのためのＶｃｌＨｒｄＢｐＰｒｅｓｅｎｔＦｌａｇが真の値を有すると決定したことのみに応答して、ビットストリームパーティション初期到着時間補足強化情報（ＳＥＩ）メッセージの初期到着遅延シンタックス要素を符号化することを更に備える、請求項２に記載の方法、
ここにおいて、前記ビットストリームのレイヤは、各ビットストリームパーティションが１つ以上のレイヤを含むように、区分方式に従って２つ以上のビットストリームパーティションに分割される。
【請求項１０】
前記方法が、ワイヤレス通信機器上で実行可能であり、ここにおいて、前記ワイヤレス通信機器が、
前記シンタックス要素と前記ＨＲＤパラメータとを記憶するように構成されたメモリと、
前記メモリに記憶された前記シンタックス要素と前記ＨＲＤパラメータとを処理するための命令を実行するように構成されたプロセッサと、
前記シンタックス要素と前記ＨＲＤパラメータとを含む信号を受信するための及び前記
メモリに前記シンタックス要素と前記ＨＲＤパラメータとを記憶するための受信機と
を備える、請求項１に記載の方法。
【請求項１１】
高効率ビデオコード化（ＨＥＶＣ）規格及び前記規格の拡張の少なくとも一方に従ってビデオデータを復号するための機器であって、前記機器が、
ビデオデータを記憶するように構成されたメモリと、
ビデオデコーダとを備え、前記ビデオデコーダは、
ビットストリームのビデオパラメータセット（ＶＰＳ）に基づいて、前記ビットストリームに含まれる時間サブレイヤの最大数を示す第１のシンタックス要素のための値を復号することと、
仮想参照デコーダ（ＨＲＤ）パラメータがコード化されるビットストリームの時間サブレイヤの数を示す、前記ビデオデータの第２のシンタックス要素のための値を復号することと、ここにおいて、前記値は、前記ＨＲＤパラメータがコード化される時間サブレイヤの前記数が、前記第１のシンタックス要素によって示される時間サブレイヤの前記最大数よりも小さいことを示す、
前記第２のシンタックス要素のための前記値によって示される時間サブレイヤの前記数の各時間サブレイヤのためにＨＲＤパラメータのセットを表すインデックスを復号することと、
前記ビットストリームの符号化ピクチャを復号することと、
復号ピクチャバッファ（ＤＰＢ）に復号ピクチャを記憶することと、
前記ＨＲＤパラメータに従って前記ＤＰＢから前記復号ピクチャを削除することと、
によって、前記ＨＲＤパラメータを使用して前記ビットストリームを処理することと
を行うように構成された、機器。
【請求項１２】
高効率ビデオコード化（ＨＥＶＣ）規格および／またはそれの拡張に従ってビデオデータを符号化するための機器であって、前記機器は、
ビデオデータを記憶するように構成されたメモリと、
ビデオエンコーダとを備え、前記ビデオエンコーダは、
ビットストリームに含まれる時間サブレイヤの最大数を示す第１のシンタックス要素のための値を、前記ビットストリームのビデオパラメータセット（ＶＰＳ）から、符号化することと、
仮想参照デコーダ（ＨＲＤ）パラメータがコード化されるビットストリームの時間サブレイヤの数を示す、前記ビデオデータの第２のシンタックス要素のための値を符号化することと、ここにおいて、前記値は、前記ＨＲＤパラメータがコード化される時間サブレイヤの前記数が、前記第１のシンタックス要素によって示される時間サブレイヤの前記最大数よりも小さいことを示す、
前記第２のシンタックス要素のための前記値によって示される時間サブレイヤの前記数の各時間サンレイヤのためにＨＲＤパラメータのセットを表すインデックスを符号化することと、
前記ビットストリームの符号化ピクチャを形成するためにピクチャを符号化することと、
前記ビットストリームの前記符号化ピクチャを復号することと、
復号ピクチャバッファ（ＤＰＢ）に復号ピクチャを記憶することと、
前記ＨＲＤパラメータに従って前記ＤＰＢから前記復号ピクチャを削除することと、
によって、前記ＨＲＤパラメータを使用して前記ビットストリームを処理することと
を行うように構成される、機器。
【請求項１３】
前記時間サブレイヤのピクチャを撮るためのカメラ又は前記ピクチャを表示するための表示器のうちの少なくとも１つを更に備える機器、及び、
集積回路、
マイクロプロセッサ又は
ワイヤレス通信機器
のうちの少なくとも１つを備える機器の少なくとも一方を備える、請求項１１又は請求項１２に記載の機器。
【請求項１４】
前記機器がワイヤレス通信機器であり、前記機器が、前記シンタックス要素と前記ＨＲＤパラメータとを含む信号を受信することと、前記メモリに前記シンタックス要素と前記ＨＲＤパラメータとを記憶することとを行うように構成された受信機を更に備え、
前記ワイヤレス通信機器が好ましくはセルラー電話であり、前記信号が、好ましくはトランシーバによって受信され、セルラー通信規格に従って変調される、請求項１１に記載の機器。
【請求項１５】
実行されたとき、ビデオデータをコード化するための機器のプロセッサに、請求項１乃至１０のいずれかの方法を実行させる命令を記憶したコンピュータ可読記憶媒体。
【手続補正２】
【補正対象書類名】明細書
【補正対象項目名】０１７５
【補正方法】変更
【補正の内容】
【０１７５】
[0155]様々な例について説明した。これら及び他の例は以下の特許請求の範囲内に入る。
以下に本願発明の当初の特許請求の範囲に記載された発明を付記する。
［Ｃ１］  ビデオデータをコード化する方法であって、前記方法は、
仮想参照デコーダ（ＨＲＤ）パラメータがそれのためにコード化されるビットストリームのサブレイヤの数を示すシンタックス要素のための値をコード化することと、ここにおいて、前記値は、前記ＨＲＤパラメータがそれのためにコード化されるサブレイヤの前記数が、前記ビットストリームのビデオパラメータセット（ＶＰＳ）によって示されるサブレイヤの最大数よりも小さいことを示す、
前記シンタックス要素のための前記値によって示されるサブレイヤの前記数のためにＨＲＤパラメータをコード化することと、
前記ＨＲＤパラメータを使用して前記ビットストリームを処理することと
を備える方法。
［Ｃ２］  前記ビットストリームが、複数のＨＲＤ＿ｐａｒａｍｅｔｅｒｓ（）シンタックス構造を備え、前記シンタックス要素のための前記値をコード化することが、前記複数のＨＲＤ＿ｐａｒａｍｅｔｅｒ（）シンタックス構造のｉ番目のＨＲＤ＿ｐａｒａｍｅｔｅｒ（）シンタックス構造のためのｎｕｍ＿ｓｕｂ＿ｌａｙｅｒ＿ｈｒｄ＿ｍｉｎｕｓ１［ｉ］シンタックス要素のための値をコード化することを備え、ここにおいて、ｉが整数値である、Ｃ１に記載の方法。
［Ｃ３］  前記サブレイヤが時間サブレイヤを備え、前記ＨＲＤパラメータをコード化することは、前記ＨＲＤパラメータがそれのためにコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数をコード化することを備える、Ｃ１に記載の方法。
［Ｃ４］  少なくとも、出力順序における連続するピクチャのＨＲＤ出力時間間の前記時間距離が制約されるかどうかを示す前記シンタックス要素が、ｆｉｘｅｄ＿ｐｉｃ＿ｒａｔｅ＿ｇｅｎｅｒａｌ＿ｆｌａｇ［］シンタックス要素又はｆｉｘｅｄ＿ｐｉｃ＿ｒａｔｅ＿ｗｉｔｈｉｎ＿ＣＶＳ＿ｆｌａｇ［］シンタックス要素のうちの少なくとも１つを備える、Ｃ３に記載の方法。
［Ｃ５］  前記ＨＲＤパラメータをコード化することが、前記サブレイヤのうちの対応する１つのための連続するピクチャのＨＲＤ出力時間を指定する要素ユニット間のクロックティックにおける時間距離又は前記サブレイヤのうちの前記対応する１つのＨＲＤ動作モードのうちの１つ以上を示す１つ以上のシンタックス要素をコード化することを備える、Ｃ１に記載の方法。
［Ｃ６］  連続するピクチャのＨＲＤ出力時間を指定する要素ユニット間のクロックティックにおける時間距離を示す前記シンタックス要素が、ｅｌｅｍｅｎｔａｌ＿ｄｕｒａｔｉｏｎ＿ｉｎ＿ｔｃ＿ｍｉｎｕｓ１［］シンタックス要素を備え、ＨＲＤ動作モードを示す前記シンタックス要素が、ｌｏｗ＿ｄｅｌａｙ＿ｈｒｄ＿ｆｌａｇ［］シンタックス要素を備える、Ｃ５に記載の方法。
［Ｃ７］  前記ＨＲＤパラメータを使用して前記ビットストリームを処理することが、
前記ビットストリームの符号化ピクチャを復号することと、
復号ピクチャバッファ（ＤＰＢ）に前記復号ピクチャを記憶することと、
前記ＨＲＤパラメータに従って前記ＤＰＢから前記復号ピクチャを削除することと
を備える、Ｃ１に記載の方法。
［Ｃ８］  前記ビットストリームの前記符号化ピクチャを復号するより前に前記符号化ピクチャを形成するためにピクチャを符号化することを更に備える、Ｃ７に記載の方法。
［Ｃ９］  ビデオコード化レイヤ（ＶＣＬ）ＨＲＤパラメータのうちの少なくとも１つが前記ビットストリーム中でコード化されるとき又はＶＣＬ  ＨＲＤ動作のためのバッファリング期間情報が前記ビットストリーム中で必要とされると決定されたときのみ、ビットストリームパーティション初期到着時間補足強化情報（ＳＥＩ）メッセージの初期到着遅延シンタックス要素をコード化することを更に備える、Ｃ１に記載の方法。
［Ｃ１０］  前記ビットストリームのためのＶｃｌＨｒｄＢｐＰｒｅｓｅｎｔＦｌａｇが真の値を有すると決定したことのみに応答して、ビットストリームパーティション初期到着時間補足強化情報（ＳＥＩ）メッセージの初期到着遅延シンタックス要素をコード化することを更に備える、Ｃ１に記載の方法。
［Ｃ１１］  前記方法が、ワイヤレス通信機器上で実行可能であり、ここにおいて、前記機器が、
前記シンタックス要素と前記ＨＲＤパラメータとを記憶するように構成されたメモリと、
前記メモリに記憶された前記シンタックス要素と前記ＨＲＤパラメータとを処理するための命令を実行するように構成されたプロセッサと、
前記シンタックス要素と前記ＨＲＤパラメータとを含む信号を受信するための及び前記メモリに前記シンタックス要素と前記ＨＲＤパラメータとを記憶するための受信機と
を備える、Ｃ１に記載の方法。
［Ｃ１２］  前記ワイヤレス通信機器がセルラー電話であり、前記信号が、前記受信機によって受信され、セルラー通信規格に従って変調される、Ｃ１１に記載の方法。
［Ｃ１３］  ビデオデータをコード化するための機器であって、前記機器が、
ビデオデータを記憶するように構成されたメモリと、
ビデオコーダとを備え、前記ビデオコーダは、
仮想参照デコーダ（ＨＲＤ）パラメータがそれのためにコード化されるビットストリームのサブレイヤの数を示すシンタックス要素のための値をコード化することと、ここにおいて、前記値は、前記ＨＲＤパラメータがそれのためにコード化されるサブレイヤの前記数が、前記ビットストリームのビデオパラメータセット（ＶＰＳ）によって示されるサブレイヤの最大数よりも小さいことを示す、
前記シンタックス要素のための前記値によって示されるサブレイヤの前記数のためにＨＲＤパラメータをコード化することと、
前記ＨＲＤパラメータを使用して前記ビットストリームを処理することと
を行うように構成された、
機器。
［Ｃ１４］  前記サブレイヤが時間サブレイヤを備え、前記ビデオコーダは、前記ＨＲＤパラメータがそれのためにコード化される時間サブレイヤの数に等しい、少なくとも、前記ビットストリームの時間サブレイヤに対応する出力順序における連続するピクチャのＨＲＤ出力時間間の時間距離が制約されるかどうかを示すシンタックス要素の数をコード化するように構成された、Ｃ１３に記載の機器。
［Ｃ１５］  前記ＨＲＤパラメータをコード化するために、前記ビデオコーダが、前記サブレイヤのうちの対応する１つのための連続するピクチャのＨＲＤ出力時間を指定する要素ユニット間のクロックティックにおける時間距離又は前記サブレイヤのうちの前記対応する１つのＨＲＤ動作モードのうちの１つ以上を示す１つ以上のシンタックス要素をコード化するように構成された、Ｃ１３に記載の機器。
［Ｃ１６］  前記ビデオコーダがビデオエンコーダを備える、Ｃ１３に記載の機器。
［Ｃ１７］  前記ビデオコーダは、ビデオコード化レイヤ（ＶＣＬ）ＨＲＤパラメータのうちの少なくとも１つが前記ビットストリーム中でコード化されるとき又はＶＣＬ  ＨＲＤ動作のためのバッファリング期間情報が前記ビットストリーム中で必要とされると決定されたときのみ、ビットストリームパーティション初期到着時間補足強化情報（ＳＥＩ）メッセージの初期到着遅延シンタックス要素をコード化するように構成された、Ｃ１３に記載の機器。
［Ｃ１８］  前記ビデオコーダは、前記ビットストリームのためのＶｃｌＨｒｄＢｐＰｒｅｓｅｎｔＦｌａｇが真の値を有すると決定したことのみに応答して、ビットストリームパーティション初期到着時間補足強化情報（ＳＥＩ）メッセージの初期到着遅延シンタックス要素をコード化するように構成された、Ｃ１３に記載の機器。
［Ｃ１９］  前記サブレイヤのピクチャをキャプチャするためのカメラ又は前記ピクチャを表示するための表示器のうちの少なくとも１つを更に備える、Ｃ１３に記載の機器。
［Ｃ２０］  前記機器が、
集積回路、
マイクロプロセッサ又は
ワイヤレス通信機器
のうちの少なくとも１つを備える、Ｃ１３に記載の機器。
［Ｃ２１］  前記機器がワイヤレス通信機器であり、前記ビデオコーダがビデオデコーダを備え、前記機器が、前記シンタックス要素と前記ＨＲＤパラメータとを含む信号を受信することと、前記メモリに前記シンタックス要素と前記ＨＲＤパラメータとを記憶することとを行うように構成された受信機を更に備える、Ｃ１３に記載の機器。
［Ｃ２２］  前記ワイヤレス通信機器がセルラー電話であり、前記信号が、トランシーバによって受信され、セルラー通信規格に従って変調される、Ｃ２１に記載の機器。
［Ｃ２３］  ビデオデータをコード化するための機器であって、前記機器は、
仮想参照デコーダ（ＨＲＤ）パラメータがそれのためにコード化されるビットストリームのサブレイヤの数を示すシンタックス要素のための値をコード化するための手段と、ここにおいて、前記値は、前記ＨＲＤパラメータがそれのためにコード化されるサブレイヤの前記数が、前記ビットストリームのビデオパラメータセット（ＶＰＳ）によって示されるサブレイヤの最大数よりも小さいことを示す、
前記シンタックス要素のための前記値によって示されるサブレイヤの前記数のためにＨＲＤパラメータをコード化するための手段と、
前記ＨＲＤパラメータを使用して前記ビットストリームを処理するための手段と
を備える機器。
［Ｃ２４］  前記サブレイヤが時間サブレイヤを備え、前記ＨＲＤパラメータをコード化するための前記手段は、前記ＨＲＤパラメータがそれのためにコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数をコード化するための手段を備える、Ｃ２３に記載の機器。
［Ｃ２５］  前記ＨＲＤパラメータをコード化するための前記手段が、前記サブレイヤのうちの対応する１つのための連続するピクチャのＨＲＤ出力時間を指定する要素ユニット間のクロックティックにおける時間距離又は前記サブレイヤのうちの前記対応する１つのＨＲＤ動作モードのうちの１つ以上を示す１つ以上のシンタックス要素をコード化するための手段を備える、Ｃ２３に記載の機器。
［Ｃ２６］  前記ＨＲＤパラメータをコード化するための前記手段が、前記ＨＲＤパラメータを復号するための手段を備え、前記ＨＲＤパラメータを復号するための前記手段が、前記ＨＲＤパラメータに対応する前記ビットストリームのビットと、前記ＨＲＤパラメータに続くシンタックス要素に対応する前記ビットストリームのビットとの間を区別するためのパーサを構成するための手段を備える、Ｃ２３に記載の機器。
［Ｃ２７］  ビデオコード化レイヤ（ＶＣＬ）ＨＲＤパラメータのうちの少なくとも１つが前記ビットストリーム中でコード化されるとき又はＶＣＬ  ＨＲＤ動作のためのバッファリング期間情報が前記ビットストリーム中で必要とされると決定されたときのみ、ビットストリームパーティション初期到着時間補足強化情報（ＳＥＩ）メッセージの初期到着遅延シンタックス要素をコード化するための手段を更に備える、Ｃ２３に記載の機器。
［Ｃ２８］  前記ビットストリームのためのＶｃｌＨｒｄＢｐＰｒｅｓｅｎｔＦｌａｇが真の値を有すると決定したことのみに応答して、ビットストリームパーティション初期到着時間補足強化情報（ＳＥＩ）メッセージの初期到着遅延シンタックス要素をコード化するための手段を更に備える、Ｃ２３に記載の機器。
［Ｃ２９］  実行されたとき、ビデオデータを復号するための機器のプロセッサに、
仮想参照デコーダ（ＨＲＤ）パラメータがそれのためにコード化されるビットストリームのサブレイヤの数を示すシンタックス要素のための値をコード化することと、ここにおいて、前記値は、前記ＨＲＤパラメータがそれのためにコード化されるサブレイヤの前記数が、前記ビットストリームのビデオパラメータセット（ＶＰＳ）によって示されるサブレイヤの最大数よりも小さいことを示す、
前記シンタックス要素のための前記値によって示されるサブレイヤの前記数のためにＨＲＤパラメータをコード化することと、
前記ＨＲＤパラメータを使用して前記ビットストリームを処理することと
を行わせる命令を記憶したコンピュータ可読記憶媒体。
［Ｃ３０］  前記サブレイヤが時間サブレイヤを備え、前記プロセッサに、前記ＨＲＤパラメータをコード化することを行わせる前記命令は、前記プロセッサに、前記ＨＲＤパラメータがそれのためにコード化される時間サブレイヤの数に等しい、少なくとも、前記ビットストリームの時間サブレイヤのための出力順序における連続するピクチャのＨＲＤ出力時間間の時間距離が制約されるかどうかを示すシンタックス要素の数をコード化することを行わせる命令を備える、Ｃ２９に記載のコンピュータ可読記憶媒体。